(57)【要約】【課題】少ない待機電力かつ容易な構成で、スタンバイ動作時における緊急警報放送用起動フラグの判別を行えるようにする。【解決手段】地上デジタル放送の放送受信装置において、受信信号処理部２０には、受信信号の復調処理と該復調処理によって得られた復調データの復号処理を行うことで伝送多重制御データを得る第１信号処理部２０ａと、第１信号処理部２０ａで得られた復調データを処理してトランスポートストリームを得る第２信号処理部２０ｂと、処理制御部３０を設ける。処理制御部３０は、スタンバイ動作時に緊急警報放送用起動フラグの判別を行うとき、伝送多重制御データのみを得るように、クロック供給制御部２８によって第２信号処理部２０ｂへのクロック信号ＣＬＫの供給を停止して、第２信号処理部２０ｂの動作を停止させる。【選択図】        図５
2008148230.tif 000002
【特許請求の範囲】
【請求項１】
放送コンテンツデータと緊急警報放送用起動フラグが設けられる伝送多重制御データを含む地上デジタル放送信号を受信して、所望の伝送チャネルの受信信号を出力するチューナ部と、前記受信信号の信号処理を行いトランスポートストリームを出力する受信信号処理部を有する放送受信装置において、
前記受信信号処理部には、
前記受信信号の復調処理と該復調処理によって得られた復調データの復号処理を行うことで伝送多重制御データを得る第１信号処理部と、
前記第１信号処理部で得られた復調データを処理してトランスポートストリームを得る第２信号処理部と、
前記第１信号処理部と前記第２信号処理部の動作を制御する処理制御部を設け、
前記処理制御部は、スタンバイ動作時に前記緊急警報放送用起動フラグの判別を行うとき、前記伝送多重制御データのみを得るように前記第１信号処理部と前記第２信号処理部の動作を制御する
ことを特徴とする放送受信装置。
【請求項２】
前記受信信号処理部に、少なくとも前記第２信号処理部へのクロック信号の供給を制御するクロック信号供給制御部を設け、
前記処理制御部は、スタンバイ動作時に前記緊急警報放送用起動フラグの判別を行うとき、前記クロック信号制御部を制御して、前記第２信号処理部へのクロック信号の供給を停止させる
ことを特徴とする請求項１記載の放送受信装置。
【請求項３】
前記受信信号処理部に、前記第２信号処理部への電力供給を制御する電力供給制御部を設け、
前記処理制御部は、スタンバイ動作時に前記緊急警報放送用起動フラグの判別を行うとき、前記電力供給制御部を制御して、前記第２信号処理部への電力供給を停止させる
ことを特徴とする請求項１記載の放送受信装置。
【請求項４】
前記第１信号処理部は、前記受信信号の復調処理を行う際に処理するセグメント数を切り替えて部分受信を可能とし、
前記処理制御部は、スタンバイ動作時に前記緊急警報放送用起動フラグの判別を行うとき、前記第１信号処理部を制御して前記部分受信を行い前記伝送多重制御データを得る
ことを特徴とする請求項１記載の放送受信装置。
【請求項５】
放送コンテンツデータと緊急警報放送用起動フラグが設けられる伝送多重制御データを含む地上デジタル放送信号を受信して所望の伝送チャネルの受信信号を得る選局ステップと、
前記受信信号の復調処理と該復調処理によって得られた復調データの復号処理を行うことで伝送多重制御データを得る第１信号処理ステップと、
前記復調処理によって得られた復調データを処理してトランスポートストリームを出力する第２信号処理ステップと、
スタンバイ動作時に前記緊急警報放送用起動フラグの判別を行うとき、前記伝送多重制御データのみを得るように前記第１信号処理ステップと前記第２信号処理ステップの動作を制御する処理制御ステップと有する
ことを特徴とする放送受信方法。
【発明の詳細な説明】
【技術分野】
【０００１】
この発明は放送受信装置と放送受信方法に関する。詳しくは、地上デジタル放送の受信において、スタンバイ動作時に緊急警報放送用起動フラグの判別を行うとき、所望の伝送チャネルの受信信号処理を行ってトランスポートストリームを得る受信信号処理部で、伝送多重制御データのみを得る処理を行うことで、待機電力を低減させるものである。
【背景技術】
【０００２】
デジタル放送では、ＢＳ（Broadcasting Satellite：放送衛星）／ＣＳ（Communication Satellite：通信衛星）を使用した衛星放送に加えて、地上波によるデジタル放送も開始されている。
【０００３】
この地上デジタル放送では、放送コンテンツデータが多重化されて、所定の通信方式の地上デジタル放送信号として伝送されている。この通信方式としては、直交周波数分割多重方式（ＯＦＤＭ：Orthogonal Frequency Division Multiplexing）方式が採用されている。ＯＦＤＭ方式は、複数のキャリアを同時に用いたマルチキャリア伝送方式である。それぞれのキャリアは互いに直交しており、ＤＱＰＳＫ(Differential Quadrature Phase Shift Keying)、ＱＰＳＫ(Quadrature Phase Shift Keying)、１６ＱＡＭ(Quadrature Amplitude Modulation )、６４ＱＡＭ方式を用いて変調されている。このように、キャリアの変調では複数の方式を用いることができるため、また、符号化率等の伝送パラメータも可変可能とされているため、変調方式や伝送パラメータ等を示す伝送多重制御データ（ＴＭＣＣ：Transmission and Multiplexing Configuration Control)や、その他の種々の制御データも伝送されている。
【０００４】
このような地上デジタル放送では、従来のアナログ放送で行われていた緊急警報放送も行われており、緊急警報放送が行われているか否かを示す緊急警報放送用起動フラグが伝送多重制御データに設けられている。このため、緊急警報放送用起動フラグの状態を判別することで、緊急警報放送が行われたときに、この放送を自動的に受信することが可能となる。
【０００５】
図１は、地上デジタル放送信号を受信する放送受信装置の構成を示している。地上デジタル放送信号をアンテナ１１で受信することにより得られた信号ＳRFは、チューナ部１５に供給される。チューナ部１５は、後述する制御部５１からの制御信号ＲＴに基づき選局動作や周波数変換処理を行い、所望の伝送チャネルのＯＦＤＭベースバンド信号である受信信号ＳIFを受信信号処理部２０に供給する。
【０００６】
受信信号処理部２０は、受信信号ＳIFのＯＦＤＭ復調処理、緊急警報放送用起動フラグを含む伝送多重制御データ（以下「ＴＭＣＣデータ」という）を抽出するための復号処理、ＯＦＤＭ復調処理を行うことにより得られた復調データの歪みを補償する等化処理、等化処理後の復調データの誤り訂正処理や元の順序にデータを並び替えるデインタリーブ処理等を行い、得られたトランスポートストリームＴＳをデマルチプレクサ４１に供給する。また、ＴＭＣＣデータＤTMを制御部５１に供給する。
【０００７】
デマルチプレクサ４１では、トランスポートストリームから視聴する編成チャネルの映像データのパケットＤpvを抽出してビデオデコーダ４２に供給する。また、音声データのパケットＤpaを抽出してオーディオデコーダ４３に供給する。
【０００８】
ビデオデコーダ４２は、映像データの復号を行い、復号後の映像データを出力する。この映像データを用いることで、所望の番組の映像表示を行うことができる。オーディオデコーダ４３は、音声データの復号を行い、復号後の音声データを出力する。この音声データを用いることで、所望の番組の音声を出力させることができる。
【０００９】
チューナ部１５や受信信号処理部２０、デマルチプレクサ４１、ビデオデコーダ４２、オーディオデコーダ４３は、バス５０を介して制御部５１と接続されている。また、バス５０には、入力部５２やメモリ部５３が接続されている。
【００１０】
入力部５２は、操作キーやリモートコントロール装置（図示せず）から送信された信号を受信するリモートコントロール信号受信部で構成されている。入力部５２は、入力部５２に設けられている操作キーのキー操作に応じた操作信号を制御部５１に供給する。あるいは、リモートコントロール装置から送信された信号を受信して、リモートコントロール装置に設けられている操作キーのキー操作に応じた操作信号を制御部５１に供給する。
【００１１】
メモリ部５３は、受信装置を動作させるためのプログラムや受信装置を動作させるために必要とされる種々の情報等を記憶するためのものである。
【００１２】
制御部５１は、メモリ部５３から読み出したプログラムを実行して、入力部５２から供給された操作信号ＰＳやメモリ部５３から読み出した種々の情報、受信信号処理部２０から供給されたＴＭＣＣデータＤTM等に基づき制御信号ＲＴを生成して各部に供給することで、放送受信装置を動作させる。
【００１３】
このように構成された放送受信装置では、スタンバイ動作時に緊急警報放送用起動フラグの状態を判別するとき、チューナ部１５や受信信号処理部２０を通電状態に保つ必要があり待機電力が大きくなってしまう。このため、特許文献１の発明では、緊急警報放送用起動フラグを含むＴＭＣＣデータの抽出を行う伝送制御信号受信装置を新たに設け、スタンバイ動作時には受信信号処理部２０等への電力供給を停止することで、待機電力の削減がはかられている。
【００１４】
【特許文献１】特開２００５−３３３５１２号公報
【発明の開示】
【発明が解決しようとする課題】
【００１５】
ところで、伝送制御信号受信装置を新たに設けるものとすると、回路規模が大きくなりコストアップとなる。さらに、伝送制御信号受信装置を設けるスペースも必要となることから、伝送制御信号受信装置を新たに設けることは容易でない。また、放送受信装置における待機電力は削減できるが、伝送制御信号受信装置で電力消費が生じてしまう。
【００１６】
そこで、この発明では、少ない待機電力かつ容易な構成で、スタンバイ動作時における緊急警報放送用起動フラグの判別を行えるようにするものである。
【課題を解決するための手段】
【００１７】
この発明の概念は、スタンバイ動作時に、地上デジタル放送で送信される伝送多重制御データに設けられている緊急警報放送用起動フラグの判別を行うとき、選局された伝送チャネルの受信信号の復調処理と、この復調処理によって得られた復調データの復号処理を行うことで伝送多重制御データを得る第１信号処理と、この復調処理によって得られた復調データを処理してトランスポートストリームを得る第２信号処理の動作を制御して、伝送多重制御データのみを得られるようにするものである。
【００１８】
この発明では、スタンバイ動作時に、伝送多重制御データに設けられている緊急警報放送用起動フラグの判別を行うとき、例えば第２信号処理を行うために必要とされるクロック信号の供給を停止して、第１信号処理のみを行うことにより伝送多重制御データのみが得られるものとされる。また、第２信号処理を行うために必要とされるクロック信号の供給を停止して、第１信号処理のみを行うことにより伝送多重制御データのみが得られるものとされる。また、第１信号処理において、受信信号の復調処理を行う際に処理するセグメント数を切り替えて部分受信を行うことにより伝送多重制御データのみが得られるものとされる。
【発明の効果】
【００１９】
この発明によれば、スタンバイ動作時に、地上デジタル放送で送信される伝送多重制御データに設けられている緊急警報放送用起動フラグの判別を行う場合、選局された伝送チャネルの受信信号の復調処理と、この復調処理によって得られた復調データの復号処理を行うことで伝送多重制御データを得る第１信号処理と、この復調処理によって得られた復調データを処理してトランスポートストリームを得る第２信号処理の動作に対して、伝送多重制御データのみを得られるように信号処理動作が制御される。このため、信号処理動作によって生ずる電力消費が減少して、少ない待機電力かつ容易な構成で、スタンバイ動作時における緊急警報放送用起動フラグの判別を行うことができる。
【発明を実施するための最良の形態】
【００２０】
以下、図を参照しながら、この発明の実施の一形態について説明する。日本の地上デジタル放送信号では、図２に示すように、伝送路帯域幅である６ＭＨｚをセグメントと呼ばれる１４ブロックに分割し、そのうち１３個のセグメントを用いて伝送が行われている。また、各セグメントでは、映像や音声等のデータだけでなく種々の制御データも同時に伝送されている。この制御データは、ＴＭＣＣデータ、ＳＰ(Scattered Pilot)データ、ＣＰ(Continual Pilot)データ、ＡＣ(Auxiary Channel)データで構成されている。
【００２１】
地上デジタル放送の放送方式では、移動体受信に適しているモード１と、ＳＦＮ(Single Frequency Network)に適しているモード３、および両者の中間的な位置付けにあるモード２の３種類のモードが規定されている。
【００２２】
図３は、例えばモード１であるときのセグメントのフレーム構成を示しており、図３の（Ａ）はシンボル変調方式がＤＱＰＳＫ方式の場合、図３の（Ｂ）は、シンボル変調方式がＱＰＳＫ、１６ＱＡＭ、６４ＱＡＭ方式の場合であり、映像や音声等のデータに基づいたデータシンボル「ｓ」だけでなく、制御データが設けられている。
【００２３】
ＳＰデータは、シンボル変調方式としてＱＰＳＫ，１６ＱＡＭ，６４ＱＡＭが用いられているとき、伝送路特性の推定を行えるようにするための信号であり、推定結果に応じてデータシンボルを補正することで、データシンボルが同期した信号とされる。ＣＰデータは、同期を行うためのものである。ＡＣデータは付加情報を伝送するためのシンボルである。また、各セグメントで伝送されているＴＭＣＣデータは等しいものとされている。
【００２４】
図４は、ＴＭＣＣデータのフレーム構成を示している。ＴＭＣＣデータのフレームには、「フレーム同期」、「セグメント形式識別」、「システム識別」、「緊急警報放送用起動フラグ」、「伝送パラメータ等」、「パリティ」等が設けられている。「フレーム同期」は、ＴＭＣＣデータの同期信号である。「セグメント形式識別」は、差動変調であるか同期変調であるかを示す情報である。「システム識別」はデジタルテレビジョン放送であるかデジタル音声放送であるかを識別可能とする情報である。「緊急警報放送用起動フラグ」は、緊急警報放送が行われているか否かを示す情報である。「伝送パラメータ等」は、キャリア変調マッピング方式や畳み込み符合化率および時間インタリーブの長さやセグメント数等を示す情報である。
【００２５】
次に、図５を用いて放送受信装置の受信信号処理部２０の構成を説明する。図１に示すチューナ部１５から供給された受信信号ＳIFは、第１信号処理部２０ａに供給される。第１信号処理部２０ａは、受信信号ＳIFの復調処理と、この復調処理によって得られた復調データの復号処理を行うことで、緊急警報放送用起動フラグを含むＴＭＣＣデータを得るためのものであり、Ａ／Ｄ変換部２１とＯＦＤＭ復調部２２およびＴＭＣＣデータ復号部２３を有している。また、第２信号処理部２０ｂは、第１信号処理部２０ａで得られた復調データを処理してトランスポートストリームを得るものであり、時間周波数デインタリーブ部２４、デマッピング部２５、誤り訂正処理部２６を有している。
【００２６】
このように構成された受信信号処理部２０において、チューナ部１５から供給された受信信号ＳIFは、Ａ／Ｄ変換部２１でデジタルの受信信号ＤIFに変換されてＯＦＤＭ復調部２２に供給される。
【００２７】
図６は、ＯＦＤＭ復調部２２の構成を示している。直交復調部２２１は、所定の周波数（キャリア周波数）のキャリア信号を用いて、受信信号ＤIFの直交復調を行い、ＯＦＤＭベースバンド信号ＤIQを出力する。このＯＦＤＭベースバンド信号ＤIQは、直交復調された結果、実軸成分（Ｉチャネル信号）と、虚軸成分（Ｑチャネル信号）とから構成される複素信号となる。直交復調部２２１から出力されるＯＦＤＭベースバンド信号ＤIQは、ＦＦＴ演算部２２３および同期処理部２２５に供給される。
【００２８】
ＦＦＴ演算部２２３は、ＯＦＤＭベースバンド信号ＤIQに対してＦＦＴ(Fast Fourier Transform)演算を行い、各サブキャリアに直交変調されている信号を抽出して出力する。このＦＦＴ演算部２２３は、１つのＯＦＤＭシンボルからガードインターバル長分の信号を除いた有効シンボル長分の信号を抜き出し、抜き出した信号に対してＦＦＴ演算を行う。
【００２９】
ＦＦＴ演算部２２３によって抽出された各サブキャリアに変調されていた信号ＤSCは、実軸成分（Ｉチャネル信号）と虚軸成分（Ｑチャネル信号）とから構成される複素信号である。ＦＦＴ演算部２２３で抽出された信号ＤSCは、フレーム抽出部２２４、同期処理部２２５および等化処理部２２６、および図５に示すにＴＭＣＣデータ復号部２３に供給される。
【００３０】
フレーム抽出部２２４は、信号ＤSCにおけるＴＭＣＣデータに基づいた信号ＤSCtを用いてＩＳＤＢ−Ｔ伝送フレームの境界を同期処理部２２５等に供給する。また、フレーム抽出部２２４は、ＴＭＣＣデータに基づいた信号ＤSCtを、図５に示すＴＭＣＣデータ復号部２３に供給する。
【００３１】
同期処理部２２５は、ＯＦＤＭベースバンド信号ＤIQとＦＦＴ演算部２２３により復調された後の各サブキャリアに変調されていた信号ＤSCを用いて同期制御信号ＣＹを生成する。また、同期処理部２２５は、生成した同期制御信号ＣＹをＦＦＴ演算部２２３に供給することで、ＦＦＴ演算部２２３におけるＦＦＴ演算の演算範囲およびそのタイミング等の各種の同期処理を行う。
【００３２】
等化処理部２２６は、ＦＦＴ演算部２２３から供給された信号ＤSCに対して等化処理を行う。ここで、等化処理部２２６には、ＴＭＣＣデータ復号部２３からＴＭＣＣデータＤTMが供給されており、このＴＭＣＣデータＤTMによって、差動変調信号(ＤＱＰＳＫ方式の信号）であることが示されているときは、差動変調信号に対応した等化処理を行う。また、ＴＭＣＣデータＤTMによって、同期変調信号（ＱＰＳＫ方式、１６ＱＡＭ方式、６４ＱＡＭ方式の信号）であることが示されているときは、同期変調信号に対応した等化処理を行う。この等化処理部２２６で等化処理された復調信号ＤDMは、図５に示す時間周波数デインタリーブ部２４に供給される。
【００３３】
図５に示すＴＭＣＣデータ復号部２３は、ＴＭＣＣデータに基づいた信号ＤSCtの復号処理を行いＴＭＣＣデータＤTMを生成する。またＴＭＣＣデータ復号部２３は、生成したＴＭＣＣデータＤTMをＯＦＤＭ復調部２２の等化処理部２２６、時間周波数デインタリーブ部２４、デマッピング部２５、誤り訂正処理部２６および図１に示す制御部５１等に供給する。このＴＭＣＣデータに基づいた信号ＤSCtの復号処理では、ＴＭＣＣデータＤTMがＤＢＰＳＫ(Differential Binary Phase Shift Keying)方式で変調されてサブキャリアとされていることから、ＤＢＰＳＫ方式での復調処理を行う。なお、ＴＭＣＣデータ復号部２３は、正しいＴＭＣＣデータＤTMを得るために誤り訂正処理も行う。
【００３４】
時間周波数デインタリーブ部２４は、復調信号ＤDMに対して時間周波数方向のデインタリーブ処理を行ってデマッピング部２５に供給する。
【００３５】
デマッピング部２５は、時間周波数デインタリーブ処理後の信号に対してデータの再割付処理（デマッピング処理）を行い、伝送データ系列を復元して誤り訂正処理部２６に供給する。例えばＩＳＤＢ−Ｔ(Integrated Services Digital Broadcasting-Terrestrial)規格のＯＦＤＭ信号を復調する場合、デマッピング部２５は、ＱＰＳＫ、１６ＱＡＭ又は６４ＱＡＭに対応したデマッピング処理を行う。
【００３６】
誤り訂正処理部２６は、デマッピング部２５から供給された信号を用いてビタビ復号処理やリードソロモン復号処理を行い誤り訂正がなされたストリームであるトランスポートストリームＴＳを生成して、図１のデマルチプレクサ４１に供給する。なお、誤り訂正処理部２６では、多値シンボルの誤り分散のためのビットインタリーブに対応したデインタリーブ処理やバイト単位でのデインタリーブ処理、エネルギー拡散処理に対応したエネルギー逆拡散処理等も行う。
【００３７】
クロック生成部２７は、受信信号処理部２０の各部を動作させるためのクロック信号ＣＬＫを生成するためのものである。このクロック生成部２７には、クロック供給制御部２８が接続されている。
【００３８】
クロック供給制御部２８は、処理制御部３０からの制御信号ＲＴckに基づき、第２信号処理部２０ｂに対するクロック信号ＣＬＫの供給を制御する。
【００３９】
処理制御部３０は、制御部５１との通信を行い、制御部５１から供給された制御信号ＲＴに基づいて、受信信号処理部２０の各部の動作を制御する。また、ＴＭＣＣデータ復号部２３で得られたＴＭＣＣデータＤTMに基づいて、受信信号処理部２０の動作の制御も行う。
【００４０】
次に、放送受信装置の動作について説明する。所望の編成チャネルの映像データや音声データの出力を行う通常動作時のとき、制御部５１はユーザーが選局した編成チャネルを含む伝送チャネルを選局するようにチューナ部１５を制御する。チューナ部１５で得られた受信信号ＳIFは、受信信号処理部２０に供給されてＯＦＤＭ復調や時間周波数デインタリーブ処理、デマッピング処理、誤り訂正処理等を行う。これらの処理を行うことにより得られたトランスポートストリームＴＳは、デマルチプレクサ４１に供給される。デマルチプレクサ４１では、所望の編成チャネルの映像データのパケットＤpvを抽出してビデオデコーダ４２に供給する。また、所望の編成チャネルの音声データのパケットＤpaを抽出してオーディオデコーダ４３に供給する。このため、ビデオデコーダ４２から出力される映像データやオーディオデコーダ４３から出力される音声データを用いて映像表示や音声出力を行うことで、所望の番組を視聴できる。
【００４１】
放送受信装置がスタンバイ動作時に緊急警報放送用起動フラグの判別を行うように設定されている場合、制御部５１は、ＴＭＣＣデータを受信できるようにチューナ部１５を制御する。チューナ部１５は、制御部５１からの制御信号ＲＴに基づいて選局動作を行い、受信信号ＳIFを受信信号処理部２０に供給する。
【００４２】
受信信号処理部２０は、制御部５１からの制御信号ＲＴによって、放送受信装置がスタンバイ動作であって緊急警報放送用起動フラグの判別を行うように設定されていることが示されたとき、緊急警報放送用起動フラグが含まれているＴＭＣＣデータＤTMのみが得られるように、第１信号処理部２０ａと第２信号処理部２０ｂの動作を制御する。例えば、ＴＭＣＣデータＤTMを得るために必要となる最低限の機能ブロック以外に対して、クロック生成部２７からクロック信号ＣＬＫの供給を停止させる。具体的には、受信信号処理部２０の第１信号処理部２０ａに対してはクロック信号の供給を行い、第２信号処理部２０ｂに対しては、クロック信号の供給をクロック供給制御部２８によって停止させる。これにより、第２信号処理部２０ｂの時間周波数デインタリーブ部２４やデマッピング部２５および誤り訂正処理部２６の動作が停止されることから、受信信号処理部２０の消費電力が少なくなり、放送受信装置における待機電力を低減できる。
【００４３】
なお、映像データや音声データを出力する必要が生じたとき、処理制御部３０は、第２信号処理部２０ｂに対してクロック信号ＣＬＫが供給されるように制御信号ＲＴckによってクロック供給制御部２８を制御することで、トランスポートストリームＴＳをデマルチプレクサ４１に供給させればよい。
【００４４】
また、上述の実施の形態では、ＴＭＣＣデータＤTMのみが得られるように、第１信号処理部２０ａと第２信号処理部２０ｂの動作を制御するため、ＴＭＣＣデータＤTMを得るために必要となる最低限の機能ブロック以外に対してクロック信号ＣＬＫの供給を停止するものとしたが、電力供給を停止すれば、より確実に受信信号処理部２０の消費電力を低減させることができる。
【００４５】
図７は、受信信号処理部の他の構成として、電力供給を制御して消費電力の低減をはかる場合を示している。なお、図７において、図５と対応する部分については同一符合を付し、詳細な説明は省略する。受信信号処理部２０’には、第２信号処理部２０ｂに対する電力供給を停止できるようにするための電力供給制御部２９が設けられている。この電力供給制御部２９は、処理制御部３０からの制御信号ＲＴpwに基づき、第２信号処理部２０ｂに対する電力供給の制御が行われる。
【００４６】
受信信号処理部２０’は、制御部５１からの制御信号ＲＴによって、放送受信装置がスタンバイ動作であって緊急警報放送用起動フラグの判別を行うように設定されていることが示されたとき、緊急警報放送用起動フラグが含まれているＴＭＣＣデータＤTMのみが得られるように、ＴＭＣＣデータＤTMを得るために必要となる最低限の機能ブロック以外に対して、電力供給を停止させる。具体的には、受信信号処理部２０’の第１信号処理部２０ａやクロック生成部２７に対しては電力供給を行い、第２信号処理部２０ｂに対しては、処理制御部３０からの制御信号ＲＴpwに基づき電力供給制御部２９よって、電力ＰＷの供給を停止させる。これにより、第２信号処理部２０ｂの時間周波数デインタリーブ部２４やデマッピング部２５および誤り訂正処理部２６の動作が停止されることから、受信信号処理部２０の消費電力が少なくなり、放送受信装置における待機電力をより確実に低減できる。
【００４７】
ところで、上述の各セグメントで伝送されているＴＭＣＣデータＤTMは等しいものとされている。したがって、１３セグメントすべての復調処理を行わなくともＴＭＣＣデータＤTMを得ることができる。このため、第１信号処理部２０ａでは、受信信号の復調処理を行う際に処理するセグメント数を切り替えて部分受信を可能として、スタンバイ動作時に緊急警報放送用起動フラグの判別を行うときに部分受信を行うものとすれば、第１信号処理部２０ａにおける信号処理量が少なくなり、第１信号処理部２０ａの消費電力を少なくできる。
【００４８】
図８は、ＯＦＤＭ復調部の他の構成として、復調処理を行う際に処理するセグメント数を切り替えて部分受信を可能とする場合を示したものである。なお、図８において、図６と対応する部分については同一符合を付し、詳細な説明は省略する。
【００４９】
直交復調部２２１で得られた信号ＤIQは、フィルタ部２２２に供給される。フィルタ部２２２は、フィルタ特性が切り替え可能に構成されている。例えば、処理制御部３０からの制御信号ＲＴsgに基づき、１３セグメント分の信号を通過させるフィルタ特性と、１セグメント分の信号のみを通過させるフィルタ特性が切り替え可能とされている。このフィルタ部２２２によって帯域制限させた信号ＤIQは、ＦＦＴ演算部２２３ａに供給される。
【００５０】
ＦＦＴ演算部２２３ａは、ＦＦＴ演算ポイント数が切り替え可能に構成されている。ここで、放送方式が例えばモード１である場合、処理制御部３０からの制御信号ＲＴsgに基づき、１３セグメントのＦＦＴ演算を行うためのＦＦＴ演算ポイント数「２０４８」と、１セグメントのＦＦＴ演算を行うためのＦＦＴ演算ポイント数「２５６」が切り替え可能とされている。また、モード３である場合、処理制御部からの制御信号に基づき、１３セグメントのＦＦＴ演算を行うためのＦＦＴ演算ポイント数「８１９２」と、１セグメントのＦＦＴ演算を行うためのＦＦＴ演算ポイント数「１０２４」が切り替え可能とされている。
【００５１】
同期処理部２２５ａは、搬送波周波数やタイミング周波数の再生動作の切り替えが可能に構成されている。例えば処理制御部３０からの制御信号ＲＴsgに基づき、搬送波周波数やタイミング周波数の再生を、ＣＰデータ、ＳＰデータ、ＴＭＣＣデータ、ＡＣデータを１３セグメント分用いて行うか、１セグメント分用いて行うか切り替え可能に構成されている。
【００５２】
等化処理部２２６ａは、復調対象のセグメント数が切り替え可能に構成されている。例えば、処理制御部３０からの制御信号ＲＴsgに基づき、１３セグメント分を復調対象とした処理と、１セグメントを復調対象とした処理が切り替え可能とされている。
【００５３】
次に、ＯＦＤＭ復調部２２ａを用いるときの動作について説明する。上述の処理制御部３０は、制御部５１からの制御信号ＲＴによって通常動作であることが示されたとき、制御信号ＲＴsgによって、フィルタ部２２２のフィルタ特性を、１３セグメント分の信号を通過させるフィルタ特性に切り替える。また、ＦＦＴ演算部２２３ａでは、１３セグメントのＦＦＴ演算を行うようにＦＦＴ演算ポイント数「８１９２」に設定する。さらに、同期処理部２２５ａにおける搬送波周波数やタイミング周波数の再生は、ＣＰデータ、ＳＰデータ、ＴＭＣＣデータ、ＡＣデータの各データを１３セグメント分用いて行い、等化処理部２２６ａは、１３セグメント分を復調対象とした処理を行うように設定する。このようにＯＦＤＭ復調部２２ａを設定すれば、１３セグメントの信号に基づいた映像データや音声データの生成を行うことができる。
【００５４】
次に、制御部５１からの制御信号ＲＴによってスタンバイ動作時に緊急警報放送用起動フラグの判別を行うことが示された場合について説明する。この場合、処理制御部３０は、制御信号ＲＴsgに基づき、フィルタ部２２２のフィルタ特性を、１セグメントの信号のみを通過させるフィルタ特性に切り替える。また、ＦＦＴ演算部２２３ａでは、例えば１セグメントのＦＦＴ演算を行うようにＦＦＴ演算ポイント数「１０２４」に設定する。さらに、同期処理部２２５ａにおける搬送波周波数やタイミング周波数の再生は、ＣＰデータ、ＳＰデータ、ＴＭＣＣデータ、ＡＣデータの各データを１セグメント分用いて行い、等化処理部２２６ａは、１セグメント分を復調対象とした処理を行うように設定する。
【００５５】
このようにＯＦＤＭ復調部２２ａを設定すれば、スタンバイ動作時に緊急警報放送用起動フラグの判別を行うように設定されているときには、復調処理するセグメント数が通常動作時よりも少ないものとされて、第１信号処理部２０ａの消費電力が少なくなることから、放送受信装置の待機電力を削減できる。
【００５６】
また、放送受信装置において、ＯＦＤＭ復調部の部分受信とクロック供給や電力供給の制御を合わせて行うものとすれば、いずれかのみを行う場合に比べて放送受信装置の待機電力をさらに削減できる。
【００５７】
ここで、ＯＦＤＭ復調部の部分受信とクロック供給や電力供給の制御を組み合わせて行う場合、部分受信とクロックや電力の供給の制御を連動させて行うようにすれば、処理が容易となる。すなわち、スタンバイ動作時に緊急警報放送用起動フラグの判別を行うことが示されて、制御信号ＲＴsgによって部分受信を行わせる場合、この制御信号ＲＴsgによって、クロック供給制御部２８や電力供給制御部２９の動作を制御して、第２信号処理部２０ｂへのクロック信号ＣＬＫや電力ＰＷの供給を停止される。このようにすれば、処理制御部３０は、ＯＦＤＭ復調部２２ａやクロック供給制御部２８，電力供給制御部２９の動作を個々に制御する必要がなく制御動作が簡単となる。
【００５８】
また、クロックや電力の供給の停止や部分受信を行うことで、放送受信装置の待機電力を削減するものであることから、新たに伝送制御信号受信装置を設ける場合のように、回路規模が大きくなったりコストアップとなってしまうこともなく、伝送制御信号受信装置のためのスペースも設ける必要がないので、スタンバイ動作時における緊急警報放送用起動フラグの判別を容易に行えるようになる。なお、受信信号処理部２０，２０ａはハードウェアで構成してもよく、各処理をソフトウェアで行うものとしてもよいことは勿論である。
【図面の簡単な説明】
【００５９】
【図１】放送受信装置の構成を示す図である。
【図２】伝送信号のセグメント構成を示す図である。
【図３】セグメントのフレーム構成を示す図である。
【図４】ＴＭＣＣデータのフレーム構成を示す図である。
【図５】受信信号処理部の構成を示す図である。
【図６】ＯＦＤＭ復調部の構成を示す図である。
【図７】受信信号処理部の他の構成を示す図である。
【図８】ＯＦＤＭ復調部の他の構成を示す図である。
【符号の説明】
【００６０】
１１・・・アンテナ、１５・・・チューナ部、２０，２０’・・・受信信号処理部、２０ａ・・・第１信号処理部、２０ｂ・・・第２信号処理部、２１・・・Ａ／Ｄ変換部、２２，２２ａ・・・ＯＦＤＭ復調部、２３・・・ＴＭＣＣデータ復号部、２４・・・時間周波数デインタリーブ部、２５・・・デマッピング部、２６・・・誤り訂正処理部、２７・・・クロック生成部、２８・・・クロック供給制御部、２９・・・電力供給制御部、３０・・・処理制御部、４１・・・デマルチプレクサ、４２・・・ビデオデコーダ、４３・・・オーディオデコーダ、５０・・・バス、５１・・・制御部、５２・・・入力部、５３・・・メモリ部、２２１・・・直交復調部、２２２・・・フィルタ部、２２３，２２３ａ・・・ＦＦＴ演算部、２２４，２２４ａ・・・フレーム抽出部、２２５，２２５ａ・・・同期処理部、２２６，２２６ａ・・・等化処理部
【図１】
2008148230.tif 000003
【図２】
2008148230.tif 000004
【図３】
2008148230.tif 000005
【図４】
2008148230.tif 000006
【図５】
2008148230.tif 000007
【図６】
2008148230.tif 000008
【図７】
2008148230.tif 000009
【図８】
2008148230.tif 000010